(57)【要約】【課題】  腕部を折り畳み可能で、Ｔシャツなどの衣類の襟首の孔部分からでも、襟首の部分を広げることなく腕部を衣類内に挿入可能なハンガーを提供する。【解決手段】  衣類用ハンガー１のフック２は第１のフック部３と第２のフック部４を前後方向に回動自在に軸着したものであり、第１のフック部３と第２のフック部４は共に左右方向における閉塞されている他側９，10をフック２を物干し竿11に吊下げた場合の吊下げ方向Ｘに延長し形成しており、フック部３，４の下部12，13は吊下げた場合におけるそれぞれの当接部14，15から吊下げ方向Ｘの位置に形成された貫通孔16，17で軸着される。第１のフック部３における下部12の開口側の側面の略水平斜め下方向に第１のアーム部22は突設され、第２のフック部４における下部13の閉塞側の側面の略水平斜め下方向に第２のアーム部24は突設され、第２のフック部４には取手部26が設けられている。【選択図】図１
2007037863.tif 000002
【特許請求の範囲】
【請求項１】
下方及び一側を開口したフックを上部に設けると共に、該フックの下部に連設してアームを左右に張り出した衣類用ハンガーにおいて、
前記フックは下方及び一側をそれぞれ開口した別体の第１のフック部及び第２のフック部を前後に備えると共に、これら第１のフック部の下部及び第２のフック部の下部を前後方向を回動中心として軸着し、
前記第１のフック部の第１の下部に前記アームの一側を形成する第１のアーム部を一体に突設し、
前記第２のフック部の第２の下部に前記アームの他側を形成する第２のアーム部を一体に突設したことを特徴とする衣類用ハンガー。
【請求項２】
前記ハンガーは、物干し竿に対し吊下げ時における前記フック部の上部の当接部から吊下げ方向における前記第１のフック部の下部及び前記第２のフック部の下部を、前後方向を回動中心として軸着したこと特徴とする請求項１記載の衣類用ハンガー。
【請求項３】
前記第１のフック部と前記第２のフック部とにおける開口した一側に対し閉塞している他側を延長して設けたことを特徴とする請求項１または２記載の衣類用ハンガー。
【請求項４】
前記第２のフック部に取手部が突設されていることを特徴とする請求項１〜３のいずれか１項に記載の衣類用ハンガー。
【請求項５】
前記第１のフック部に取手部が突設されていることを特徴とする請求項４記載の衣類用ハンガー。
【発明の詳細な説明】
【技術分野】
【０００１】
本発明は、衣類用ハンガーに関するものである。
【背景技術】
【０００２】
従来から一般に用いられている衣類用ハンガーは、フックが取り付けられている部分（以下胴部と称す）から斜めに下方両側に腕部（アーム部）が一体的に延ばされた構成となっている。すなわち、この種の従来の衣類用ハンガーは、腕部同士が所定角度で開いた状態で固定されている。
【０００３】
Ｔシャツや丸首のセーターなどの衣類をハンガーに掛ける際には、ハンガーを前記Ｔシャツなどの下方（胴部分）から襟首部に向かうように挿入すればよいが、この場合には、フックが襟首部分の孔から出るようにハンガーの腕部などをたぐり寄せる動作が必要になって多くの手間がかかるため、これに代えて、襟首の孔部分に腕部を挿入してこの孔部分を広げながら掛けた状態にすることが多い。しかし、この場合には、襟首の孔部分が広がってしまい、この影響が大きい場合には広がった状態で伸びきってしまう不具合を生じる。このように襟首の孔部分が広がることを抑制すべく、腕部の長さを短めに構成したものも実用化されているが、この構成のものでは、腕部により衣類の肩の途中部分までしか支持しないことになるため、その箇所で段差を生じてしまう。
【０００４】
これらの不具合を解消するものとして、衣類を掛ける左右一対の腕部と、これらの腕部を横軸を介して開閉自在に枢支した姿勢で取り付けた胴体部と、胴体部より上方に突出する姿勢で取り付けられたフックと、腕部同士が閉じる方向に付勢する閉方向付勢手段としての一つ割りリング形状の１個のばね（リングばねと称す）と、各腕部における枢支点である横軸近傍から斜め上側に一体的に延長されて形成されたつまみ部と、胴体部に昇降自在に取り付けられた昇降体と、昇降体を上方に付勢する圧縮ばねなどから構成された衣類用ハンガーがある（例えば特許文献１）。
【０００５】
この構成によれば、腕部が開閉自在に枢支されているので、腕部を閉状態に折り畳んでＴシャツなどの衣類の襟首の部分を広げることなく腕部を衣類内に挿入することができ、また、腕部を閉状態に折り畳んで衣類に挿入した後には、つまみ部を把持することで、腕部を開状態に広げることができる。しかも、腕部を開状態から閉状態にする際には、胴部を持った手の指でロック解除部を下方に押し下げるワンタッチ動作を行うだけ、すなわち片手で、開状態のロックを容易に解除して腕部を閉じることができる。
【特許文献１】特開２００４−１６７１１３号公報
【発明の開示】
【発明が解決しようとする課題】
【０００６】
上記の特許文献１の構成においては、衣類をハンガーに装着した後、物干し竿に吊下げ乾燥させるが、その時に作業者の不用意な操作や外部からの何らかの力によりロック解除部に対しロックを解除する力が働いた場合には腕部が閉じてしまい、衣類の不慮の落下を引き起こしてしまう虞がある。又上記の構成のハンガーにおいては腕部を閉状態にする為の構成としてロック解除部には一つのリング形状のバネとつまみ部と昇降体というように複数の要素からなる為、部品点数が増え製造コストの増加を招き易い欠点がある。
【０００７】
解決しようとする問題点は、腕部を閉じた状態に極めて容易に折り畳むことができて、Ｔシャツや丸首のセーターなどの衣類の襟首の孔部分からでも、襟首の部分を広げることなく腕部を衣類内に挿入することができながら、腕部を閉じた状態で衣類に挿入した後に、腕部を持たなくても開状態に容易に広げることができ、ハンガーに装着した衣類を物干し竿に吊下げた時にハンガーに対し衣類の不慮の脱落を防ぐことができ、さらに製造コストを抑えることが可能なハンガーを提供することを目的とするものである。
【課題を解決するための手段】
【０００８】
請求項１の発明は、下方及び一側を開口したフックを上部に設けると共に、該フックの下部に連設してアームを左右に張り出した衣類用ハンガーにおいて、前記フックは下方及び一側をそれぞれ開口した別体の第１のフック部及び第２のフック部を前後に備えると共に、これら第１のフック部の下部及び第２のフック部の下部を前後方向を回動中心として軸着し、前記第１のフック部の第１の下部に前記アームの一側を形成する第１のアーム部を一体に突設し、前記第２のフック部の第２の下部に前記アームの他側を形成する第２のアーム部を一体に突設したことである。
【０００９】
請求項２の発明は、前記ハンガーは、物干し竿に対し吊下げ時における前記フック部の上部の当接部から吊下げ方向における前記第１のフック部の下部及び前記第２のフック部の下部を前後方向を回動中心として軸着したことである。
【００１０】
請求項３の発明は、前記第１のフック部と前記第２のフック部とにおける開口した一側に対し閉塞している他側を延長して設けたことである。
【００１１】
請求項４の発明は、前記第２のフック部に取手部が突設されていることである。
【００１２】
請求項５の発明は、前記第１のフック部に取手部が突設されていることである。
【発明の効果】
【００１３】
請求項１の発明によれば、ハンガーに対し衣類が脱着容易で、且つ衣類の不慮の脱落を防ぎ、さらに部品数の少なさから生産コストを抑えることができる。
【００１４】
請求項２の発明によれば、ハンガーのバランスを良くすることができる。
【００１５】
請求項３の発明によれば、ハンガーのフックを持ち易いものにすることができる。
【００１６】
請求項４の発明によれば、ハンガーの操作性を向上させ、衣類の脱着作業を容易にすることができると共に、物干し竿に吊下げられたハンガーのアームの開閉操作を片手でも扱えるようにし、さらにハンガーのデザイン性も向上させることができる。
【００１７】
請求項５の発明によれば、物干し竿に吊下げられたハンガーからの衣類の離脱作業をハンガーの向きや、作業者の利き手に影響されることなく行うことができる。また、ハンガーのデザイン性も向上させることができる。
【発明を実施するための最良の形態】
【００１８】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１９】
図１〜７は実施例１を示しており、衣類用ハンガー１におけるフック２は第１のフック部３と第２のフック部４を前後方向に回動自在に軸着したものであり、第１のフック部３と第２のフック部４は共に左右方向における一側５，６から下方７，８にわたり開口された円弧状の鉤型のものであり、左右方向における閉塞されている他側９，10は、ハンガー１のフック２を物干し竿11に吊下げた場合の吊下げ方向Ｘに延長されて形成している。
【００２０】
前記他側９，10の下端を開口側水平方向に連設されたフック部３，４の下部12，13には、各フック部３，４を揃え物干し竿11に対し吊下げた時におけるフック部３，４の当接部14，15から吊下げ方向Ｘに位置した貫通孔16，17が形成されている。前記貫通孔16，17に対し第１のフック部３側からワッシャ18を介し取付けねじ19を挿入し、第２のフック部４側でワッシャ20を介しナット21を螺合することで、第１のフック部３と第２のフック部４は回動自在に軸着される。
【００２１】
前記第１のフック部３における下部12の開口側の側面に略水平斜め下方向に突設された第１のアーム部22の先端23は、下側に屈設されて形成されおり、前記第２のフック部４における下部13の閉塞側の側面に略水平斜め下方向に突設された第２のアーム部24の先端25も、下側に屈設されて形成されている。前記第１のアーム部３と前記第２のアーム部４により、衣類用ハンガー１における衣類の吊下げ用アーム部は形成されている。
【００２２】
前記第２のフック部４における円弧状の鉤型の上端部から閉塞側にかけての外側面には、不規則な波型に形成した板状の取手部26が設けられている。
【００２３】
以上の構成について作用を述べると、前記衣類用ハンガー１は図３に示すように、第１のアーム部22と第２のアーム部24をそれぞれの先端23，25同士を揃えるように軸19に対し回動させる。その揃えられた先端23，25同士を衣類27の襟首の孔28から挿入した後（図４参照）、第１のフック部３と第２のフック部４を揃えると、衣類27の内部でアーム部22，24は広がるように回動し、衣類27の肩部29を内部側から支持可能とすることでハンガー１に対し衣類27の装着は完了となる。衣類27を装着したハンガー１を第１のフック部３と第２のフック部４を揃えたまま物干し竿11に懸架することで、第１のフック部３と第２のフック部４はハンガー１自体の軸19に対し回動不能の状態で保持される（図１参照）。
【００２４】
この状態から、衣類27を装着したハンガー１の取手部26を掴み上方向に持ち上げることにより（図５および図６参照）、ハンガー１に装着された衣類27の肩部29からかかる荷重によりアーム部22，24は軸19に対し先端23，25が閉じるように回動していき、先端23，25同士の距離Ｙが衣類における襟首の孔28の直径Ｚに対し小さくなると、ハンガー１に対し衣類27は離脱可能となる。
【００２５】
前述の操作により、衣類27を離脱させる際のハンガー１は、衣類27の自重がアーム部22，24に作用することに加えて、物干し竿11から第２のフック部４を離脱させようとする力が、この第２のフック部４と一体的に設けた取手部26に作用するものの、第１のフック部３に対してはそうした物干し竿11から離脱させようとする力は働かず、結果的には図７に示すように、衣類27を離脱させた後も、第１のフック部３のみが物干し竿11に吊下げ保持されたまま残ることになる。すなわち、ハンガー１全体をわざわざ物干し竿11から外さなくても、第１のフック部３を物干し竿11に吊り下げた状態のままにしておくことができる。
【００２６】
そして、この図７に示す状態から、アーム部22，24の揃えられた先端23，25に衣類27を襟首の孔28から通したまま、取手部26を掴んで第２のフック部４を再び物干し竿11に引掛けて吊下げることにより、アーム部22，24が開いた状態で、衣類27を掛けたハンガー１を物干し竿11に簡単に吊下げ保持させることができる（図１参照）。
【００２７】
以上の操作について、衣類27を装着し物干し竿11に吊下げ保持されたハンガー１に対しては、取手部26を利用して、物干し竿11から第２のフック部４を離脱させて衣類27をハンガー１から外し、その後別な衣類27を吊すために、物干し竿11に第２のフック部４を掛けるまでの操作において、作業者はハンガー１のアームの開閉操作を片手で済ませることができる。
【００２８】
また、第２のフック部４に設けられた取手部26はハンガー１を動物等のキャラクターをイメージさせる要素にもなっており、本実施例では第１のフック部３と第２のフック部４と共に表面を白色に塗装され、取手部26自体の表面を赤色に塗装されたことにより、ハンガー１はニワトリをイメージさせる外観を持つ。
【００２９】
以上のように、前記実施例では請求項１に対応して、下方及び一側を開口したフック２を上部に設けると共に、該フック２の下部に連設してアームを左右に張り出した衣類用ハンガー１において、前記フック２は下方及び一側をそれぞれ開口した別体の第１のフック部３及び第２のフック部４を前後に備えると共に、これら第１のフック部３の下部12及び第２のフック部４の下部13を前後方向を回動中心として軸着し、前記第１のフック部３の第１の下部12に前記アームの一側を形成する第１のアーム部22を一体に突設し、前記第２のフック部４の第２の下部13に前記アームの他側を形成する第２のアーム部24を一体に突設したことにより、ハンガー１に対し衣類27が脱着容易で、且つ衣類27の不慮の脱落を防ぎ、さらに部品数の少なさから生産コストを抑えることができる。
【００３０】
また、前記実施例では請求項２に対応して、ハンガー１は、物干し竿11に対し吊下げ時における前記フック２の上部の当接部14，15から吊下げ方向Ｘにおける前記第１のフック部３の下部12及び前記第２のフック部４の下部13を、前後方向を回動中心として軸着したことにより、ハンガー１のバランスを良くすることができる。
【００３１】
さらに、前記実施例では請求項３に対応して、前記第１のフック部３と前記第２のフック部４とにおける開口した一側５，６に対し閉塞している他側９，10を延長して設けたことにより、ハンガー１のフック２を持ち易いものにすることができる。
【００３２】
また、前記実施例では請求項４に対応して、前記第２のフック部４に取手部26が突設されていることにより、この取手部26を利用してハンガー１のフック２の操作性を向上させ、衣類27の脱着作業を容易にすることができると共に、物干し竿11に吊下げられたハンガー１のアームの開閉操作を片手でも扱えるようにし、さらにハンガー１のデザイン性も向上させることができる。
【実施例２】
【００３３】
図８および図９は実施例２を示しており、実施例１と重複する箇所の説明については省略する。
【００３４】
前記第１のフック部３における円弧状の鉤型の上端部から一側にかけての外側面に、板体を円弧状に形成した取手部30が設けられている。そして前記第２のフック部４における円弧状の鉤型の上端部から閉塞側にかけての外側面に、吊下げ方向に対して第１のフック部の取手部30と対称な形状をした別な取手部31が設けられている。
【００３５】
上記の構成について作用を述べると、第１のフック部３と第２のフック部４に取手部30，31をそれぞれ設けることにより、衣類27をハンガー１から離脱させる作業においては、取手部30，31のどちらか一方を掴み持ち上げることによりアーム部22，24が閉じ始める。具体的には、取手部30を一方の手（例えば左手）で掴んで持ち上げると、アーム部24に衣類27の自重が作用する関係で、第２のフック部４が物干し竿11から離脱する。しかし、取手部30を持ち上げる力と、衣類27の自重によりアーム部22に加わる力は、何れも第１のフック部３の他側９から物干し竿11の側面を押し付けようとする力になり、結果的に第１のフック部３は物干し竿11から離脱しない。逆に、取手部31を他方の手（例えば右手）で掴んで持ち上げると、実施例１の場合の取手部26と同様に、衣類27の自重によりアーム部24に加わる力と、取手部31に加わる力が、物干し竿11から第２のフック部４を離脱させる力として作用し、第１のフック部３だけが物干し竿11から離脱せずに残る。したがって、ハンガー１の向きや、作業者の利き手に影響されず、何れか一方の取手部30，31を掴んで持ち上げることで、衣類27を楽にハンガー１から取り外すことができる。
【００３６】
また、第１のフック部３だけが物干し竿11に吊下がった状態で、アーム部22，24の揃えられた先端23，25に衣類27を襟首の孔28から通したまま、取手部31を掴んで第２のフック部４を再び物干し竿11に引掛けて吊下げれば、開いたアーム部22，24に衣類27が掛かり、実施例１と同様に、衣類27を掛けたハンガー１を物干し竿11に簡単に吊下げ保持させることができる。
【００３７】
なお、ハンガー１はウサギをイメージさせる外観を持つ。
【００３８】
以上のように、前記実施例では請求項５に対応して、第２のフック部４に取手部31を突設するだけでなく、第１のフック部３にも取手部30が突設されていることにより、物干し竿11に吊下げられたハンガー１からの衣類27の離脱作業をハンガー１の向きや、作業者の利き手に影響されることなく行うことができる。また、ハンガー１のデザイン性も向上させることができる。
【産業上の利用可能性】
【００３９】
以上のように本考案にかかる衣類用ハンガーは種々の用途に適用できる。また、取手部をその他の動物などのキャラクターを表す為の形状（耳の形状のデフォルメ等）にしたものも本特許における取手部に含まれる。
【図面の簡単な説明】
【００４０】
【図１】本発明の実施例１における衣類用ハンガーの正面図である。
【図２】本発明の実施例１における前記ハンガーの分解斜視図である。
【図３】本発明の実施例１における前記ハンガーの動作を示した参考正面図である。
【図４】本発明の実施例１における前記ハンガーを衣類の襟首の孔部分に挿入する状態を示した参考斜視図である。
【図５】本発明の実施例１における前記ハンガーに装着されていた衣類を離脱させる操作を示した参考斜視図である。
【図６】本発明の実施例１における前記ハンガーに装着されていた衣類の離脱条件を示した参考正面図である。
【図７】本発明の実施例１における前記ハンガーが第１のフック部のみで物干し竿に吊下げ保持された状態を示す正面図である。
【図８】本発明の実施例２における衣類用ハンガーの正面図である。
【図９】本発明の実施例２における前記ハンガーに装着されていた衣類の離脱条件を示した参考正面図である。
【符号の説明】
【００４１】
１  衣類用ハンガー
２  フック
３  第１のフック部
４  第２のフック部
５  第１のフック部の一側
６  第２のフック部の一側
９  第１のフック部の他側
10  第２のフック部の他側
11  物干し竿
12  第１のフック部の下部
13  第２のフック部の下部
14  第１のフック部の当接部
15  第２のフック部の当接部
22  第１のアーム部
24  第２のアーム部
26、30、31  取手部
Ｘ  吊下げ方向
【図１】
2007037863.tif 000003
【図２】
2007037863.tif 000004
【図３】
2007037863.tif 000005
【図４】
2007037863.tif 000006
【図５】
2007037863.tif 000007
【図６】
2007037863.tif 000008
【図７】
2007037863.tif 000009
【図８】
2007037863.tif 000010
【図９】
2007037863.tif 000011